(57)【要約】【課題】  キャビネット等に簡便に取り付けられ、構造が簡単で安価に製造可能であるとともに、強固に引き出し等の解放を防止する解放防止具を提供する。【解決手段】  本発明の解放防止具１０は、引き出しの引き出し方向と垂直となる方向に掛け渡される帯状部４０と、一方面が天板５１に固着される固着部２０と、一方面が固着部２０に磁着され、他方面に帯状部４０の一方端部側が固着される磁着部３０と、を概略具備している。【選択図】図１
2012254266.tif 000002
【特許請求の範囲】
【請求項１】
引き出しの解放を防止する解放防止具であって、
前記引き出しの引き出し方向と垂直となる方向に掛け渡される帯状部と、
一方面が前記引き出しに固着される固着部と、
一方面が前記固着部に磁着され、他方面に前記帯状部の一方端部側が固着される磁着部と、を具備し、
前記磁着部は、前記帯状部が他方端部側へ延出する方向に向かって突設される掛止爪を備え、
前記固着部は、前記掛止爪を掛止する掛止受け部を備え、
前記引き出しが解放されることでの前記帯状部の他方端部側への引っ張りにより、前記掛止爪と掛止受け部との掛止が保持されることを特徴とする解放防止具。
【請求項２】
前記固着部は、他方面に立設されるガイド部を備えることを特徴とする請求項１に記載の解放防止具。
【請求項３】
前記磁着部は、他方面に前記帯状部を挟み止めする帯止め部を備えることを特徴とする請求項１または請求項２に記載の解放防止具。
【請求項４】
前記磁着部は、前記帯状部が他方端部側へ延出する方向と反対の方向に設けられた掛止解除帯部を備えることを特徴とする請求項１乃至請求項３のいずれか１項に記載の解放防止具。
【請求項５】
前記固着部は強磁性体であり、前記磁着部は磁石であることを特徴とする請求項１乃至請求項４のいずれか１項に記載の解放防止具。
【発明の詳細な説明】
【技術分野】
【０００１】  本発明は、地震により家具やキャビネットまたは机等の扉や引き出しの解放を防止する解放防止具に関する。
【背景技術】
【０００２】  従来、家庭の食器棚、本棚、洋服ダンス等の収納家具や、事務所の机や各種キャビネットの扉や引き出しは、頻繁に使用されるために開閉が容易な構造となっている。【０００３】  このような扉や引き出しは、この開閉容易な構造のために、地震で容易に解放してしまう。これを防止するために、例えば特許文献１に開示される引き出し飛び出し防止構造では、引き出しの側壁上面に陥凹部を設け、タンスの天井壁にストッパーを設け、傾いた状態でストッパーと係止する回動自在なシーソー部材を陥凹部内に設ける構造が開示されている。
【先行技術文献】
【特許文献】
【０００４】
【特許文献１】  特開平９−２２４７６５号公報
【発明の概要】
【発明が解決しようとする課題】
【０００５】  しかしながら、特許文献１に開示される引き出し飛び出し防止構造は、引き出し内部に取り付ける必要があり、既に所有している収納家具への取り付けるは不便であった。
【課題を解決するための手段】
【０００６】  この発明の目的は、上述した事情に鑑みなされたもので、既存のキャビネット等の扉や引き出しに容易に設置できる解放防止具を提供することである。【０００７】  また、この発明の別の目的は、使用が簡便で、かつ確実に扉や引き出しの解放を防止できる解放防止具を提供することである。【０００８】  上述した課題を解決し、目的を達成するため、この発明に係わる解放防止具は、請求項１の記載によれば、引き出しの解放を防止する解放防止具であって、前記引き出しの引き出し方向と垂直となる方向に掛け渡される帯状部と、一方面が前記引き出しに固着される固着部と、一方面が前記固着部に磁着され、他方面に前記帯状部の一方端部側が固着される磁着部と、を具備し、前記磁着部は、前記帯状部が他方端部側へ延出する方向に向かって突設される掛止爪を備え、前記固着部は、前記掛止爪を掛止する掛止受け部を備え、前記引き出しが解放されることでの前記帯状部の他方端部側への引っ張りにより、前記掛止爪と掛止受け部との掛止が保持されることを特徴とする。【０００９】  また、目的を達成するため、この発明に係わる解放防止具は、請求項２の記載によれば、前記固着部は、他方面に立設されるガイド部を備えることを特徴とする。【００１０】  また、目的を達成するため、この発明に係わる解放防止具は、請求項３の記載によれば、前記磁着部は、他方面に前記帯状部を挟み止めする帯止め部を備えることを特徴とする。【００１１】  また、目的を達成するため、この発明に係わる解放防止具は、請求項４の記載によれば、前記磁着部は、前記帯状部が他方端部側へ延出する方向と反対の方向に設けられた掛止解除帯部を備えることを特徴とする。【００１２】  また、目的を達成するため、この発明に係わる解放防止具は、請求項５の記載によれば、前記固着部は強磁性体であり、前記磁着部は磁石であることを特徴とする。
【発明の効果】
【００１３】  この発明によれば、既存のキャビネット等の扉や引き出しに容易に設置できる解放防止具を提供することができる。【００１４】  また、この発明によれば、使用が簡便で、かつ確実に扉や引き出しの解放を防止できる解放防止具を提供することができる。
【図面の簡単な説明】
【００１５】
【図１】  本発明の解放防止具を示す斜視図
【図２】  本発明の解放防止具の正面図
【図３】  本発明の解放防止具の側面図
【図４】  本発明の解放防止具のＸ−Ｘ断面図
【図５】  本発明の解放防止具のＹ−Ｙ断面図
【発明を実施するための形態】
【実施例】
【００１６】  以下に図面を用いて本発明の実施例を説明する。図１は、本発明の解放防止具１０を示す斜視図である。図２は、解放防止具１０の正面図である。図３は、解放防止具１０の側面図である。図４は、解放防止具１０の図２におけるＸ−Ｘ断面図である。図５は、解放防止具１０の図２におけるＹ−Ｙ断面図である。【００１７】  本発明の解放防止具１０は、解放を防止したい引き出しを備える机やキャビネットや扉を備える各種収納家具等に用いられる。図１は、床面に載置されるキャビネット５０に取り付けられている解放防止具１０を示している。このキャビネット５０は、天井面となる天板５１と、キャビネット５０を床面に載置する床面載置部５７と、天板５１と床面載置部５７との間に設けられた複数の引き出し５２、５４、５６とを備えている。【００１８】  このようなキャビネット５０に対して、解放防止具１０は、後に説明する帯状部４０が引き出し５２、５４、５６の引き出し方向と垂直（床面に垂直）となる方向に掛け渡されている。【００１９】  なお、図１では、帯状部４０は床面に垂直な方向に掛け渡されているが、床面に平行な方向に掛け渡して、例えば引き出し５２のみの解放を防止するようにしても良い。また、図１では、解放防止具１０はキャビネット５０の引き出し５２、５４、５６に取り付けると説明しているが、収納家具等の扉に対して床面に垂直な方向または床面に平行な方向に取り付けることも可能であることは説明するまでもない【００２０】  図１において、解放防止具１０は、引き出しの引き出し方向と垂直となる方向に掛け渡される帯状部４０と、一方面が天板５１に固着される固着部２０と、一方面が固着部２０に磁着され、他方面に帯状部４０の一方端部側が固着される磁着部３０と、を概略具備している。また、帯状部４０の他方端部側（他方端部でも良い）には、床面載置部５７へ固定するための固定部４８を備えている。【００２１】  固定部４８は、例えば２枚の金属板の間に帯状部４０の他方端部を挟み込んで該金属板の一方を床面載置部５７へ両面接着テープ等で固定したものである。なお、この固定部４８は、帯状部４０の他方端部をキャビネット５０（図１では床面載置部５７）へ固定可能な形状・構造であればどのようなものでもよく、例えば後に説明する固着部２０と磁着部３０で構成される解放防止具本体１２としても良いし、単にネジや接着剤等でキャビネット５０に直接固定する方法等を採用しても良い。また、固定部４８は、後に説明するように、帯状部４０で引き出し５２等の解放を防止可能とする位置に配置されればよく、その固定位置は床面載置部５７に限定されない。【００２２】  帯状部４０は、例えば綿や麻等の天然繊維、ナイロン・ポリエチレンやポリプロピレン等の化学繊維や、ガラス繊維や金属繊維、またはこれらの合成繊維を織ったベルト状部材や帯状部材、または天然ゴムや合成ゴム等、またはポリエチレンやポリプロピレン等の合成樹脂を成形したベルト状部材や帯状部材であり、帯の軸方向以外の方向で形状自在となっている。なお、この帯状部材４０は、後に説明するとおり、引き出し等の解放を防止する際に引き出し及び引き出しの中身の重量に耐えられるものであれば、その素材や形状はど���ようなものを使用しても問題ない。【００２３】  この帯状部４０の他方端部側は固定部４８に接続されてキャビネット５０に固定されている。なお、直接キャビネット５０に固定されるように構成しても良いし、後に説明するとおり固着部２０と磁着部３０で構成される解放防止具本体１２を用いても良い。【００２４】  また、帯状部４０の一方端部側は固着部２０と磁着部３０で構成される解放防止具本体１２に接続されてキャビネット５０に固定されている。具体的には、固着部２０は主に鉄等の強磁性体で構成され、磁着部３０はフェライト磁石やネオジウム磁石等の磁石と鉄等の強磁性体とで構成されている。【００２５】  固着部２０は、一方面が両面接着テープ等の各種接着剤やネジ止め等で天板５１に固着され、他方面には磁着部３０が磁着される略矩形の略板状部材２２を備えている。【００２６】  また、固着部２０は、略板状部材２２の他方面の３辺に立設されるガイド部２４ａ、２４ｂ、２４ｃと、帯状部４０の帯の軸方向と平行な方向であって、帯状部４０の一方端部の方向に向かって突設する掛止受け部２６とを備えている。【００２７】  ガイド部２４ｂ、２４ｃは、略板状部材２２の帯状部４０の帯の軸方向と平行な二辺に設けられたガイド部であり、磁着される磁着部３０が帯状部４０の帯の軸方向と垂直な方向から外れることを防止している。また、ガイド部２４ａは、略板状部材２２の帯状部４０の帯の軸方向と垂直な二辺のうちの帯状部４０の一方端部と反対の側の一辺に設けられたガイド部であり、帯状部４０の他方端部側への引っ張りで磁着部３０が帯状部４０の帯の軸方向から外れることを防止している。なお、このガイド部２４ａによる磁着部３０の固着部２０からの外れ防止は、普段、キャビネット５０を使用する際に手等で帯状部４０を引っかけた際の外れ防止程度であり、地震での引き出し５２等の解放の防止には、後に説明する掛止爪３６と掛止受け部２６による掛止で行われる。【００２８】  また、掛止受け部２６は、略板状部材２２のガイド部２４ａと反対の側の一辺を含む面を帯状部４０の帯の軸方向でクランク状に折り曲げて形成した部材で、略板状部材２２（及び天板５１）と所定距離離間した状態で略平行となっている。【００２９】  磁着部３０は、一方面が固着部２０に磁着され、他方面に帯状部４０の一方端部側または一方端部が固着される略直方体の磁石３２と、帯状部４０の一方端部側等を挟み止めする帯止め部３４と、略直方体の磁石３２の長辺の方向の一端であって、ガイド部２４ａと反対の側（略板状部材２２の掛止受け部２６が設けられた側）となる一端に設けられる掛止爪３６とを備えている。【００３０】  掛止爪３６は、略直方体の磁石３２の長辺方向の一端に取り付けられるコの字状の部材で、コの字の底辺３６ａが磁石３２の長辺方向の一端に当接し、コの字の２辺３６ｂ、３６ｃが磁石３２の一方面の側と他方面の側に配置されている。また、コの字の２辺のうち、磁石３２の一方面の側に配置されるコの字の１辺３６ｂは該一方面に当接するように配置されている。なお、掛止爪３６は、コの字の底辺３６ａとコの字の１辺３６ｂで磁石３２に接着等で固定されている。【００３１】  また、コの字の他の１辺３６ｃは磁石���２の他方面の側で所定距離離間されて配置されており、コの字の他の１辺３６ｃの端部が帯状部４０の他方端部側へ延出する方向に向かって突設される形状となっている。【００３２】  解放防止具本体１２を利用した帯状部４０の掛止は、磁着部３０を固着部２０に磁着する際に、コの字の他の１辺３６ｃを掛止受け部２６と天板５１との間に挿入することで行う。この状態で引き出し５２等が解放されると、帯状部４０が他方端部側へ引っ張られることで掛止爪３６と掛止受け部４８との掛止が保持されことになる。【００３３】  帯止め部３４は、磁石３２の他方面の側に配置され、帯状部４０の一方端部側等を挟み込む略長方形の略板状の帯止め板部３４ａと、帯止め板部３４ａの２つの長辺（帯状部４０の帯の軸方向と平行な方向の二辺）に磁石３２に向かって立設される２枚の帯止め立設部３４ｂとを有している。【００３４】  帯状部４０の挟み込みは、図５に示すとおり、帯状部４０の一方端部を磁石３２の他方面に接着剤等で接着すると共に、帯止め板部３４ａを帯状部４０の一方端部に接着剤等で接着することで行う。なお、図５に示すとおり、掛止爪３６のコの字の１辺３６ｂの厚みと帯状部４０の帯の厚みを等しくすると共に、帯状部４０の一方端部がコの字の１辺３６ｂに重ならないように配置することで、帯止め板部３４ａ全体が帯状部４０の一方端部全体に接着されることとなり、帯状部４０の磁石３２への接着強度を確保することが可能となる。【００３５】  ２枚の帯止め立設部３４ｂは、その間隔と磁石３２の短辺方向の幅とを略等しくし、磁石３２を２枚の帯止め立設部３４ｂの間に嵌入させることで、さらに帯状部４０の磁石３２への接着強度を確保することが可能となる。【００３６】  また、解放防止具本体１２は、さらに磁着部３０に掛止解除帯部４２を備える。具体的には、掛止解除帯部４２は、図５に示すとおり、帯状部４０の他方端部側へ延出する方向と反対の方向に設けられており、帯状部４０の一方端部と帯止め板部３４ａとの間に挟み込まれる掛止解除帯挟み込み部４２ａと、磁着部３０を帯状部４０の他方端部側から一方端部側に延出される掛止解除帯舌部４２ｂとを有している。【００３７】  なお、掛止解除帯挟み込み部４２ａは、帯状部４０の一方端部に縫い止めても良い。また、掛止解除帯挟み込み部４２ａは帯状部４０の一方端部からコの字の１辺３６ｂまでを覆うように配置することで、帯止め板部３４ａ全体が掛止解除帯挟み込み部４２ａ全体に接着されることとなり、帯状部４０の磁石３２への接着強度を確保することが可能となる。【００３８】  また、掛止解除帯舌部４２ｂは、図５に示すとおり、折り返して縫い止めることで厚みを厚くし、手で持ち易くしてある。また、当該折り返しは、図５に示すとおり、コの字の底辺３６ａに当接する程度とすることで、帯状部４０の一方端部と帯止め板部３４ａとの間に挟み込まれないようにしてある。この結果、帯状部４０の一方端部と帯止め板部３４ａとは略平行を保つこととなり、帯状部４０の磁石３２への接着強度を確保することが可能となる。【００３９】  このように構成された掛止解除帯部４２で、掛止爪３６と掛止受け部４８との掛止を解除するには、掛止解除帯舌部４２ｂを手で持ち、磁着の力に抗して帯状部４０の帯の軸方向と平行な方向で、他方端部側から一方端部側へ向かって引っ張ることで行う。【００４０】  以上のような構成を有する本発明の解放防止具１０の使用方法について、以下に説明する。【００４１】  事務所で使用しているキャビネットや机では、引き出しの中の書類や書籍の重量が重く、地震による引き出しの解放でキャビネットの重心が移動して転倒してしまう虞があった。これを防止するのが本発明の解放防止具１０であり、キャビネット５０を使用していない状態では、図１に示すとおり、帯状部４０の他方端部側が固定部４８に接続されてキャビネット５０に固定され、帯状部４０の一方端部側が解放防止具本体１２に接続されて天板５１に固定されて、帯状部４０が引き出しの引き出し方向と垂直となる方向に掛け渡されている。【００４２】  また、解放防止具本体１２は、磁着部３０が固着部２０に磁着されると共に、コの字の他の１辺３６ｃが掛止受け部２６と天板５１との間に挿入されて掛止されている。【００４３】  この状態で地震等により引き出し５２等が解放される方向、即ち引き出し５２等の引き出し方向へ移動すると、引き出し５２等が帯状部４０に当接し、解放防止具本体１２が帯状部４０の他方端部側へ引っ張られる。この結果、掛止爪３６のコの字の他の１辺３６ｃと掛止受け部４８との掛止が強固に保持され、引き出し５２等の解放が防止されることとなる。【００４４】  また、キャビネット５０を使用する場合、即ち引き出し５２等を手動で解放する場合には、掛止解除帯舌部４２ｂを手で持ち、磁着の力に抗して帯状部４０の帯の軸方向と平行な方向で、他方端部側から一方端部側へ向かって引っ張り、掛止爪３６と掛止受け部４８との掛止を解除する。【００４５】  掛止爪３６と掛止受け部４８との掛止を解除後、引き出し５２等の解放の邪魔にならない箇所、例えばキャビネット５０が鉄製であれば、その側面のどこかに磁着部３０を磁着して引き出し５２等の解放を行う。なお、解放を防止したい引き出し等有するキャビネットや収納家具等が磁着不可の木製等であれば、予め鉄の小片等をその側面に両面接着テープ等で止めておくと便利である。【００４６】  このように、本発明の解放防止具１０では、磁石を使用しているので、取り外した磁着部３０を床面に放置することがない。この結果、地震対策で重要となる、せっかく器具を付けているのに肝心の地震の際に当該器具が取り外されている状態を回避することが可能となる。【００４７】  以上のように、本発明により、キャビネット等に簡便に取り付けられると共に、構造が簡単で安価に製造可能な引き出し等の解放防止具１０を提供可能である。また、取り付け忘れの可能性が少なく、かつ、強固に引き出し等の解放を防止可能な解放防止具１０を提供することができる。
【符号の説明】
【００４８】１０・・解放防止具、１２・・解放防止具本体、２０・・固着部、２２・・略板状部材、２４ａ、２４ｂ、２４ｃ・・ガイド部、２６・・掛止受け部、３０・・磁着部、３２・・磁石、３４・・帯止め部、３４ａ・・帯止め板部、３４ｂ・・帯止め立設部、３６・・掛止爪、３６ａ・・コの字の底辺、３６ｂ・・コの字の１辺、３６ｃ・・コの字の他の１辺、４０・・帯状部、４２・・掛止解除帯部、４２ａ・・掛止解除帯挟み込み部、４２ｂ・・掛止解除帯舌部、４８・・固定部、５０・・キャビネット、５１・・天板、５２、５４、５６・・引き出し、５７・・床面載置部
【図１】
2012254266.tif 000003
【図２】
2012254266.tif 000004
【図３】
2012254266.tif 000005
【図４】
2012254266.tif 000006
【図５】
2012254266.tif 000007